(57)【特許請求の範囲】
【請求項１】
毛の通過用通路を形成するため互いに離間した複数の素子を備え、前記素子は、前記通路内で横方向に延び、前記通路を通過する毛と係合しその毛を皮膚から離れる方向へ引張る横方向部分を有し、前記横方向部分は偏向可能で、前記通路を形成する素子が変位して隣接の通路を制限することなく毛を通過させるようにしたかみそり装置用の皮膚接触体。
【請求項２】
前記素子は支持体と一体に形成されている請求項１に記載の皮膚接触体。
【請求項３】
前記支持体はベースであり、前記素子がこのベースより上方に延びる請求項２記載の皮膚接触体。
【請求項４】
前記素子は実質的に互いに平行な壁で構成され、該壁に設けられた前記横方向部分が壁に対して傾斜した側面を形成する楔状をなし、該横方向部分の材料は前記偏向を許容するよう弾性的に圧縮可能である請求項１乃至３のいずれか一つに記載の皮膚接触体。
【請求項５】
前記横方向部分は、前記素子上の弾性的な可撓性を有する横方向突起からなる請求項１乃至３のいずれか一つに記載の皮膚接触体。
【請求項６】
ひげそり中、皮膚面を動く刃の前方で皮膚に接触する、前記刃と平行に延びる細長い皮膚接触体を備え、該皮膚接触体は強固な中央壁部分と弾性的な横方向部分を有する一連の複数の素子により形成され、前記複数の素子の中央壁部分どうしの間に毛が通過するように配列された通路が形成され、該中央壁部分はこれを偏向させるような横方向の力が加わっても隣接した通路を制限するように変位することもなく、前記横方向部分は中央壁部分から通路内に延び且つ通路内に配置された直立した自由端壁を有し、該横方向部分は、互いに対向する隣接した中央壁部分から互いに向かい合って延び、各通路内において自由端壁どうしの間に毛の通過用の開放領域を形成し、隣接する横方向部分は通路に沿って且つ互いに離間して形成され、通路を通過する毛と弾性的に係合し、毛が突出している皮膚が皮膚接触体の上面上を摺動するとき毛に軽い引張力を与え、且つ各通路は皮膚接触体の前端縁の入口から刃に近接する後端部に延び、各通路がその入口から後方にある少なくとも一対の自由端壁間に形成された各通路内の開放領域の幅は、毛の直径以下の最小値を有し、且つ隣接する横方向部分の自由端壁は、通路を毛が通過するとき、通路に対し横方向に通路の中央線から離れる向きに弾性的に移動自在であり、一方、中央壁部分は実質的に、隣接する通路に向かって横方向に偏向されることなく、通路を通る毛は、隣接する横方向部分間でグリップされて皮膚から延ばされ、皮膚接触体の後端部で釈放された毛が、皮膚に戻される前に刃と対面するようにした、かみそり。
【請求項７】
前記弾性的な横方向部分は、通路内に突出し且つ上方に向かう自由縁を有する請求項６に記載のかみそり。
【請求項８】
前記皮膚接触体は、第一の刃の前でガードの位置を占めている請求項６に記載のかみそり。
【請求項９】
複数の全般的に互いに平行の刃を備え、前記皮膚接触体は第一と第二の刃の間に配置されている請求項６に記載のかみそり。
【発明の詳細な説明】
本発明は、かみそりに関する。本発明は特に、皮膚面を動く安全かみそりの刃の前方にある毛の突起長さに影響を与える皮膚接触体に関する。
本発明によれば、かみそり装置内に設けられ又はそれ用の皮膚接触体を提供するものであって、皮膚接触体は毛を通過させる通路を形成するため互いに離間した複数の素子を備え、各素子は、通路内に横方向に延び、通路を通過する毛と係合しその毛を皮膚から離れる方向へ引張る横方向部分を有し、前記横方向部分は弾性変形により偏向自在であり、前記通路を形成する素子が隣接する通路を制限するように変位することもなく、毛が通路を通過することができる。
ここで記載されている皮膚接触体の一実施の形態では、その間に毛を接触体の前から後ろへ向け通過させるための通路を形成する一連の互いに離間した複数の直立する素子を有し、弾性的な可撓性を有する横方向部分は前記素子から前記通路に横方向に突出し、毛が通路を通過して移動する時、毛と係合し、その通過方向とは反対の方向に引張力を与える。本発明の好ましい実施の形態では、直立素子は実質的に強固な平行壁からなる。これらの壁は、断面が僅かにテーパを付けられ、壁から遠ざかる方向に後方に傾斜しているフラップ形状の弾力性横方向突起を有している。複数のフラップは壁の各側部に設けられ、通路内のフラップの対向する対の自由直立縁間の間隔は次第に減少し、毛が通路を介して通過するとき毛により大きい引張力を与える。
本発明は、本発明の実施の形態で示す皮膚接触体を有し且つ、例えば取換え自在のひげそりカートリッジのようなかみそり刃装置を備える。皮膚接触体は、ひげそり中刃先の前の皮膚と接触するためガード面を形成する。また皮膚接触体は、一枚又はそれ以上の刃を有する刃装置内の２枚の刃の間に配置することができる。
以下本発明を図示する実施の形態についてより詳細に述べる。
図１は本発明の一実施の形態の皮膚接触体の長手方向の断面を示す概略図。
図２及び３は、図１の皮膚接触体の夫々変形を示す。
図４及び５は、本発明による皮膚接触体の異なる実施の形態を示す図１と同様な方向から見た概略図。
図６は本発明による皮膚接触体を組み込まれたひげそりカートリッジの斜視図である。
図１に示す皮膚接触体は、長方形形状として示してあるが、このことは重要でなく、細長いベース１と一体のプラスチック構成体である。ベースから上方に延びる一連の一様に離間した素子は、接触体を前から後ろに延びる平行な通路３をその間に閉じ込める互いに平行の壁２からなっている。壁２の頂部は接触体の皮膚接触面を構成し、この壁の上部前面縁は快適さを改良するため丸く削り取られている。隣接壁から各通路３内には、翼即ちフラップ４状の一対の横方向に対向する可撓性部分が延在している。各フラップは、直立した自由端を有すると共に、それらのフラップが取り付けられている壁から自由端に向かって断面テーパ状をなし、且つこの壁に対して鋭角で後方に傾斜している。この傾斜により、対向する一対のフラップは、毛を自由端どうしの間に形成された開孔に向けて案内即ちじょうごを通して送り込む働きをする。各通路の対のフラップ間の開孔の幅は、通路に沿って前から後ろの方向に次第に狭くなっている。結局フラップの最も後ろの対は幅Ａを持つ開孔を作り、この幅は毛の直径より小さいので、このフラップの末端により毛が通路を通過する時後方に偏向され、その結果毛はそれを擦るフラップの摩擦に基づく引張力を受ける。この様にして毛を引張ると、かみそり刃先６の前面直前の位置で皮膚面から突起する毛の長さを一時的に増加させ、結果として密着したかみそりができる。毛に強いられる引張力は、フラップの可撓性及びこれらの縁間の初期間隔Ａによって決定され、これらは不快さを生ずることなく毛を十分延ばすことができるように選択される。フラップが十分弾性力があるもので作られると、フラップ縁間の通常の間隔は非常に小さくても良く、又は零であっても良い。通路の中心線間のピッチＢは、構成体の完全性を損なわなければできるだけ小さくするのが好ましく、毛が突出する皮膚が皮膚接触体の上面上を摺動するとき、毛の大部分は通路を通過する。壁とフラップの高さは限界的なものではないが、少なくとも毛の直径はなくてはならない。
前述した皮膚接触体は本発明の例示的な実施の形態として示したものであり、本発明の特許請求の範囲を離脱しない限り各種変更して実施できる。例えば各通路内に、通路を閉じ込める唯一の壁に可撓性フラップを設けることもできる。例えばかみそり刃装置の２個の刃の間に配置するという狭い接触体が望まれるならば、二対又は単一の対のフラップが、各通路に設けられる。
図２に示す変形の皮膚接触体においては、通路１３を構成する平行壁１２がベースに支持されるというよりむしろ、接触体の前部に沿って延在するバー即ち板１０と一体に形成され、そしてその板から壁が後方に延びる。その他の点では、この実施の形態の接触体は、第１の実施の形態について述べたものと同じでも良い。壁１２とフラップ１４はバー１０の上端の高さより約０．１mm高い位置で伸びている。
図３の変形皮膚接触体は、隣接通路２３内にほぼ反対側に向かう可撓性弾力性フラップ２４の形状の各対の横方向の部分を作る別個の素子２０を有している。
図１、２の実施の形態とは異なる配列からなるフラップは、毛が通路を通過する時、前述の実施の形態と同様な方法で毛を軽く引張る。個々の素子２０はかみそり中、皮膚によって加えられる力である程度後方への弾性変形を受けるが、このことは重要でなく、このことが生じたとしてもフラップの毛の引張力を損なうことはない。
図４に示す皮膚接触体はエラストマーから作られ、ベース３１と一体に形成され、ベースから直立するほぼ平行壁３２を有する。この壁は真直な中央部があり、且つその両側には中央部と一体に形成され、横方向に傾斜した直立した横腹を形成する楔形横方向部分を有し、通路３３は壁３２の間に部材の前から後ろへのテーパーを形成している。通路を通過する毛は、壁３２の横方向部分を形成する材料の弾性圧縮特性に基づき、通路の側壁を偏向でき、毛は通路幅が毛の直径より小さいとはいえ通路の後端部を通過し、壁３２の上面で形成された表面を摺動する皮膚から毛を引張る軽い引張力を受ける。
図５に本発明の他の実施の形態を示し、通路４３はベース４１と一体の直立する素子４０により形成され、素子４０はフラップ４４の形状の横方向突出部をもつ柱４２の形状をしている。フラップは反対方向に対になるように配設されており、軸の回りのねじ曲げ力を受ける柱４２により通路４３に沿って通過する毛によりフラップが弾性的に偏向される。この様にしてフラップは毛に軽い引張力を与えるように作用する。この実施の形態の素子４０は、かみそり中受ける力の下で後方に曲がることができるが、図３の実施の形態に関して述べたように、かかる曲げる力は必ずしも重要でなく、素子の毛を引っ張る効果を減ずるものでもない。
図１乃至３の実施の形態において、フラップを反対方向に対に配列することは必ずしも必要でない。フラップの縁が通路に沿ってオフセットしているように配置されていれば、望ましい引張力が通路に沿って通過する毛に依然として加えられる。同様にこれらの実施の形態におけるフラップが後方に傾斜し、且つ通路の長手方向に沿いほぼ垂直であり、又はその自由縁に対して前方に傾斜していると言うことは重要なことではない。
図６に本発明による皮膚接触体５０を具備したかみそりカートリッジを示す。皮膚接触体５０は単に概略的にしか示してないが、図１から５の実施の形態のいずれか一つの特定の形態を採用できる。皮膚接触体５０以外はカートリッジは周知の構造をしている。図示してあるようにガードとキャップとの間にフレームにより支持された２枚の平行刃５１、５２がある。皮膚接触体５０は第１の刃５１の切断縁の直前に配置されるが、本発明による皮膚接触体は、第２の刃５２の前で直接毛を引張るため刃の間に、付加的に又は代替的に設置できる。
【図１】
0003877767.tif 000002
【図２】
0003877767.tif 000003
【図３】
0003877767.tif 000004
【図４】
0003877767.tif 000005
【図５】
0003877767.tif 000006
【図６】
0003877767.tif 000007